(57)【要約】【課題】ハウジングの構造強度を増加すると共に、導電端子の接触インピーダンスが減少するＦＰＣ用電気コネクタを提供する。【解決手段】本考案のＦＰＣ用電気コネクタは、上方と先端が開口する収容溝が長手方向に沿って形成されるハウジングと、前記収容溝に延在するような接触アームと該接触アームに連接するテール部とを有し、長手方向に沿って前記ハウジングに並設される導電端子と、前記ハウジングに装着される枢支アームと、前記枢支アームにより前記ハウジングに回転可能に組付けられ、開放状態と閉鎖状態との間に回転でき、閉鎖状態に位置する際に前記ハウジングの収容溝の上方に覆うアクチュエータとを含み、前記枢支アームと導電端子とは互いに分離した別体である。【選択図】図３
0003122093.tif 000002
【実用新案登録請求の範囲】
【請求項１】
長手形状のハウジングであって上方と先端が開口する収容溝が前記長手形状の長手方向に沿って形成されているハウジングと、
前記収容溝に延在する接触アームと、該接触アームに連接するテール部とを有し、長手方向に沿って前記ハウジングに並設される導電端子と、
前記ハウジングに装着される枢支アームと、
前記枢支アームにより前記ハウジングに回転可能に組付けられ、開放状態と閉鎖状態との間に回転でき、閉鎖状態に位置する際に前記ハウジングの収容溝の上方に覆うアクチュエータと
を含むＦＰＣを接続することに用いられるＦＰＣ用電気コネクタにおいて、
前記枢支アームと導電端子とは互いに分離した別体であることを特徴とするＦＰＣ用電気コネクタ。
【請求項２】
前記枢支アームは、前記導電端子の上方に位置し、かつ各枢支アームが前記長手方向で前記隣接した一対の導電端子の間にそれぞれ位置すること特徴とする、請求項１に記載のＦＰＣ用電気コネクタ。
【請求項３】
前記枢支アームは、前記各導電端子の真上方に位置すること特徴とする、請求項１に記載のＦＰＣ用電気コネクタ。
【請求項４】
前記導電端子は、前記ハウジングに後方から装着される第１端子と、その前方から前記ハウジングに装着する第２端子と、を含み、該第１端子と第２端子が前記ハウジングの長手方向に沿って該ハウジングに交互に並設されることを特徴とする、請求項２又は３に記載のＦＰＣ用電気コネクタ。
【請求項５】
前記枢支アームと導電端子との間に、絶縁材料からなる隔離部材で仕切られ、該隔離部材が前記ハウジングに一体に成型されることを特徴とする請求項１に記載のＦＰＣ用電気コネクタ。
【考案の詳細な説明】
【技術分野】
【０００１】
本考案は、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術のＦＰＣ用電気コネクタの一例として、特許文献１と特許文献２に開示されたＦＰＣ用電気コネクタが知られ、このＦＰＣ用電気コネクタは、ハウジングと、該ハウジング内に収容される導電端子及びアクチュエータとを含む。ハウジングは、導電端子を装着するための端子溝と、アクチュエータを組み込むための上方開口部とが形成される。端子溝に装着される導電端子は、アクチュエータに支持．係合する枢支アームと、ＦＰＣに接続するための接触アームと、ハウジングに保持される保持部と、枢支アームと保持部とを連接するように回路基板に接続するテール部とを一体に成型され、接触アームは上向きに折り曲がって枢支アームの後端に連接する。前記アクチュエータは、導電端子の枢支アームによりハウジングに回転可能に組み込まれ、且つ開放状態と閉鎖状態との間に回転できる。該アクチュエータは閉鎖状態において、ハウジングの上方開口部を覆っている。
【特許文献１】日本特許第３２７８７４２号公報
【特許文献２】米国特許第６８３７７４０号公報
【考案の開示】
【考案が解決しようとする課題】
【０００３】
しかしながら、前記導電端子は接触アームと枢支アームとが一体に成型されることで、ハウジングの導電端子を装着する端子溝は導電端子の構造に対応するべきである。こうして、導電端子の構造に対応する端子溝を形成するために、ハウジングの壁が薄くなり、ＦＰＣ用電気コネクタの構造強さが減少される。また、前記導電端子の接触アームが上向きに折り曲がって枢支アームの後端に連接することで、ＦＰＣと回路基板との間の信号伝送のルートが長くなり、これにより接触インピーダンスが大きくなり、信号伝送の品質が低下しまった。そこで、上述した欠点に鑑みて、新型なＦＰＣ用電気コネクタを開発することが必要である。
【０００４】
本考案は、ハウジングの構造強度を増加するＦＰＣ用電気コネクタを提供することを目的とする。
本考案は、導電端子の接触インピーダンスが減少するＦＰＣ用電気コネクタを提供することを他の目的とする。
【課題を解決するための手段】
【０００５】
本考案は前記の目的を達成するために、以下の構成を有する。
本発明の第１の構成は、長手形状のハウジングであって上方と先端が開口する収容溝が前記長手形状の長手方向に沿って形成されているハウジングと、前記収容溝に延在する接触アームと該接触アームに連接するテール部とを有し、長手方向に沿って前記ハウジングに並設される導電端子と、前記ハウジングに装着される枢支アームと、前記枢支アームにより前記ハウジングに回転可能に組付けられ、開放状態と閉鎖状態との間に回転でき、閉鎖状態に位置する際に前記ハウジングの収容溝の上方に覆うアクチュエータとを含み、前記枢支アームと導電端子とは互いに分離した別体であることを特徴とするＦＰＣ用電気コネクタである。
【０００６】
本考案の第２の構成は、前記第１の構成において、前記枢支アームは前記導電端子の上方に位置し、かつ各枢支アームが前記長手方向で前記隣接した一対の導電端子の間にそれぞれ位置すること特徴とするＦＰＣ用電気コネクタである。
【０００７】
本考案の第３の構成は、前記第１の構成において、前記枢支アームは前記各導電端子の真上方に位置すること特徴とするＦＰＣ用電気コネクタである。
【０００８】
本考案の第４の構成は、前記第２または第３の構成において、前記導電端子は、前記ハウジングに後方から装着される第１端子と、その前方から前記ハウジングに装着する第２端子と、を含み、該第１端子と第２端子が前記ハウジングの長手方向に沿って該ハウジングに交互に並設されることを特徴とするＦＰＣ用電気コネクタである。
【０００９】
本考案の第５の構成は、前記第１の構成において、前記枢支アームと導電端子との間に、絶縁材料からなる隔離部材で仕切られ、該隔離部材が前記ハウジングに一体に成型されることを特徴とするＦＰＣ用電気コネクタである。
【考案の効果】
【００１０】
従来の技術に比較して、本考案は以下の効果を有する。前記枢支アームと導電端子との間に、ハウジングに一体に成型される隔離部材が配置されていることにより、前記ハウジングの構造強度が増強している。
【００１１】
本考案の導電端子は、従来技術の導電端子と比較して、その接触アームが枢支アームに連接することが必要せず、ＦＰＣと回路基板との間の信号伝送のルートが短くなることで、接触インピーダンスが減少し、更に信号伝送の品質が向上する。
【００１２】
本考案の枢支アームは前記導電端子の上方に位置し、かつ各枢支アームが前記長手方向で前記隣接した一対の導電端子の間にそれぞれ位置することにより、前記ハウジングに枢支アームを装着する凹溝と導電端子を収容する端子溝とは、前記ハウジングの長手方向に交互に並設され、この構造によりハウジングの構造強度が増強する。
【考案を実施するための最良の形態】
【００１３】
図１〜図７を参照して、本考案の第１実施の形態に係るＦＰＣ用電気コネクタについて説明する。このＦＰＣ用電気コネクタは、ＦＰＣと回路基板とを接続するのに用いられ、ハウジング１と、複数の導電端子２と、複数の枢支アーム３と、アクチュエータ４と、を含む。
【００１４】
図２〜図５を参照して、ハウジング１は、絶縁材料からなる略矩形形状をしており、上方と先端が開口される収容溝１１が長手方向Ａに沿って形成されている。前記導電端子２は、前記収容溝１１内に対応して装着されており、ハウジング１の後方から収容溝１１に装着する第１端子と、その前方から収容溝１１に装着する第２端子と、を含み、該第１端子と第２端子との構造は同じである。図４と図６と図７を参照して、前記導電端子２の第１端子と第２端子とは、その先端が互いに対向するように長手方向Ａに沿ってハウジング１に交互に並設され、これにより、隣接した導電端子２の間の距離が大きくなっている。
【００１５】
図６と図７を参照して、前記導電端子２は、ハウジング１に保持されている保持アーム２１と、該保持アーム２１と平行に延在するように形成されている接触アーム２２と、保持アーム２１と接触アーム２２とを連接して下向きに延在するように回路基板に接続するテール部２３とを含む。前記保持アーム２１にはハウジング１に干渉し係合される突起２１１が形成されており、前記接触アーム２２には収容溝１１へ延出し、ＦＰＣに弾性に接触するようにコンタクト部２２１が形成されている。
【００１６】
前記複数の枢支アーム３は、ハウジング１に対して装着されており、前記第１端子の上方に配置され、且つ各枢支アーム３がハウジング１の長手方向Ａで隣接した一対の第１端子の間にそれぞれ位置する。該枢支アーム３の末端には、ハウジング１に係合されるように錠止部３１が形成され、これにより各枢支アーム３がハウジング１に保持され、また、該枢支アーム３の先端に枢支凹部３２が形成されている。
【００１７】
本実施形態において、枢支アーム３と第１端子が分離し配置されることで、枢支アーム３と第１端子との間に絶縁材料からなる隔離部材（参照記号なし）で仕切られ、該隔離部材が前記ハウジング１に一体に成型される。これによりハウジング１の構造強度が増強される。また、該枢支アーム３は前記長手方向Ａで隣接した一対の第１端子の間に位置することで、前記ハウジング１の枢支アーム３を装着する凹溝（参照記号なし）と第１端子を収容する端子溝（参照記号なし）とは前記長手方向Ａで交互に並設され、この構造によりハウジング１の構造強度を増強させる。
【００１８】
前記アクチュエータ４は、ハウジング１に回転可能に組付けられ且つハウジング１に対する開放状態と閉鎖状態との間に回転でき、押圧部４１と、押圧部４１の長手方向Ａの一側に一体に成型される枢接部４２と、を含む。押圧部４１の両端部には断面がＬ字形状となっている係止溝４１１がそれぞれ形成されており、前記枢接部４２は両端部にそれぞれ形成された支持部４２１と両支持部４２１を連接し且つ一体に成型された主体部４２２とを有し、該主体部４２２の長さが前記押圧部４１の長さとほぼ同じで、該支持部４２１に長手方向Ａに正交する方向へ延出するように抑止部（参照記号しな）が形成されている。前記主体部４２２には、複数の係合溝４２３と該複数の係合溝４２３を隔離するためのリブ４２４とを有し、係合溝４２３に隣接するリブ４２４を連接するため、枢接部４２に一体に成型された回転軸４２５が形成されている。前記支持部４２１と回転軸４２５との回転軸線が同じである。
【００１９】
図１〜図４を参照して、前記ハウジング１の長手方向Ａの両端部に、互いに階段状を呈する係合凸部１２と位置決め部１３がそれぞれ配置され、係合凸部１２にＦＰＣの挿入を案内するように収容溝１１の上方開口へ向く第１斜面１２１が形成され、位置決め部１３に前記収容溝１１の先端開口へ向く第２斜面１３１が形成され、アクチュエータ４が開放状態と閉鎖状態との間に回転する際に第２斜面１３１によりアクチュエータ４をハウジング１に押込合わせる。前記ハウジング１の長手方向Ａに位置する端部には、位置決め部１３と幅方向Ｂで並列した断面がＬ字形状となっている位置決め溝１４がそれぞれ配置され、且つ各端部に前記収容溝１１と位置決め溝１４とを連通する支持溝１５がそれぞれ配置されている。
【００２０】
前記アクチュエータ４がハウジング１に組付けられる際に、枢支アーム３の先端が係合溝４２３に係合され、回転軸４２５が枢支アーム３の枢支凹部に回転可能に係合され、支持部４２１がハウジング１の支持溝１５に係合され、支持部４２１の抑止部がハウジング１の位置決め溝１４に係合されることにより、長手方向Ａで枢接部４２の左右方向の移動を制限され、アクチュエータ４が前記回転軸４２５によりハウジング１に対して開放状態と閉鎖状態との間に回転できる。該アクチュエータ４が閉鎖状態において、係合凸部１２が係止溝４１１に係合されると共に、押圧部４１が前記一対の位置決め部１３の間に位置され、且つ該アクチュエータ４の押圧により、前記収容溝１１に挿入したＦＰＣを導電端子２のコンタクト部２２１に電気的に接続させる。
【００２１】
図８〜図１０を参照して、本考案の第２実施の形態に係るＦＰＣ用電気コネクタについて説明する。本第２実施の形態と第１実施の形態との異なるところは、複数の枢支アーム３´は、ハウジング１´に対応し装着され、且つ各枢支アーム３´がハウジング１´の長手方向Ａで導電端子２´の各第１端子真上方にそれぞれ位置することである。該第２実施の形態の他の部分は第１実施の形態と同じであるので、ここで詳細に説明しない。
【００２２】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００２３】
【図１】本考案に係る第１実施の形態のＦＰＣ用電気コネクタの斜視図である。
【図２】図１に示す第１実施の形態のＦＰＣ用電気コネクタのほかの角度から見る図斜視図である。
【図３】図１に示す第１実施の形態のＦＰＣ用電気コネクタのほかの角度から見る図斜視図である。
【図４】図１に示す第１実施の形態のＦＰＣ用電気コネクタのアクチュエータが取外した斜視図である。
【図５】図４に示す第１実施の形態のＦＰＣ用電気コネクタの平面図である。
【図６】図１に示す第１実施の形態のＦＰＣ用電気コネクタのII-II線で切断した断面図である。
【図７】図１に示第１実施の形態のすＦＰＣ用電気コネクタのIV-IV線で切断した断面図である。
【図８】本考案に係る第２実施の形態のＦＰＣ用電気コネクタの斜視図である。
【図９】図８に示す第２実施の形態のＦＰＣ用電気コネクタのIX-IX線で切断した断面図である。
【図１０】図８に示第２実施の形態のすＦＰＣ用電気コネクタのX-X線で切断した断面図である。
【符号の説明】
【００２４】
Ａ  長手方向
Ｂ  幅方向
１、１´  ハウジング
１１  収容溝
１２  係合凸部
１３  位置決め部
１４  位置決め溝
１５  支持溝
１２１  第１斜面
１３１  第２斜面
２、２´  導電端子
２１  保持アーム
２２  接触アーム
２３  テール部
２１１  突起
２２１  コンタクト部
３、３´  枢支アーム
３１  錠止部
３２  枢支凹部
４  アクチュエータ
４１  押圧部
４２  枢接部
４１１  係止溝
４２１  支持部
４２２  主体部
４２３  係合溝
４２４  リブ
４２５  回転軸
【図１】
0003122093.tif 000003
【図２】
0003122093.tif 000004
【図３】
0003122093.tif 000005
【図４】
0003122093.tif 000006
【図５】
0003122093.tif 000007
【図６】
0003122093.tif 000008
【図７】
0003122093.tif 000009
【図８】
0003122093.tif 000010
【図９】
0003122093.tif 000011
【図１０】
0003122093.tif 000012